(57)【要約】【課題】複数個の項目の体力データを入力するだけで、それぞれの項目の体力に対する評価や、特定種目の運動能力の向上に資するトレーニングの専門家のコメントを得ることができる体力評価システムを提供することを課題とする。【解決手段】複数の項目の測定結果である複数個の体力データ（以下、「項目データ」という）からなる個人体力データが利用者側のユーザ・コンピュータ・システム３００からサーバ・コンピュータ・システム１００に送られる。データ判定部１１２は利用者の入力ミスの有無を判定し、入力ミスが無い場合は、データ記憶部１１５に個人体力データを格納する。データ記憶部１１５に格納された複数人分の個人体力データを用いて、入力している個人体力データの項目データ毎の偏差値を項目偏差値計算部１１７が計算する。これらの偏差値を分析した結果得られるコメントをコメント選択部１１９が選んで利用者に送る。【選択図】  図２
2004199563.tif 000002
【特許請求の範囲】
【請求項１】
利用者側のユーザ・コンピュータ・システムにインターネットを介して接続されるサーバ・コンピュータ・システム内に構築される体力評価システムであって、
前記ユーザ・コンピュータ・システムから出力される１個人の身体に関する複数の項目の測定結果である複数個の項目データをあらかじめ定められた順序に整列させた個人体力データを複数人分格納するデータ記憶部と、
該データ記憶部に格納されている複数人分の前記個人体力データを用いて、前記サーバ・コンピュータ・システムに入力している個人体力データを構成する整列している複数個の前記項目データのうちあらかじめ定められた２以上の項目データの偏差値（以下、「項目偏差値」という）を算出する項目偏差値計算部と、
該項目偏差値計算部によって算出された２以上の項目偏差値のそれぞれをクラス分けして所定の文字に変換する評価結果文字列生成部と、
該評価結果文字列生成部から出力される評価結果文字列の中のあらかじめ定められた場所に位置する文字が形成する文字列が所定の文字列であるか否かを判定し、前記所定の文字列である場合には当該所定の文字列に対応してあらかじめ格納されているコメントを前記ユーザ・コンピュータ・システムに送信するコメント発生手段とを具えたことを特徴とする体力評価システム。
【請求項２】
請求項１に記載の体力評価システムにおいて、
前記サーバ・コンピュータ・システムに入力する前記個人体力データを構成する複数個の前記項目データの各々が、それぞれ前記項目データについてあらかじめ定められている許容範囲内の値であるか否かを判定する判定手段と、当該判定手段が前記許容範囲外であると判定した場合には、前記ユーザ・コンピュータ・システムに対してその旨の表示を出力するエラー表示出力部とが、前記データ記憶部の前段に設けられていることを特徴とする体力評価システム。
【発明の詳細な説明】
【０００１】
【発明の属する技術分野】
本発明は、インターネットを介して入力する複数項目の体力測定結果からなる個人体力データを複数人分蓄積し、各個人の項目毎の体力評価に基づき、特定種目の運動能力の向上に資する各個人に対するコメントを提供する体力評価システムに関するものである。
【０００２】
【従来の技術】
従来から、運動選手などの個人に対して行われる体力測定は、その個人の属する地域に存在する測定団体が、その測定団体独自の方法で実施している。また、５０ｍ走や握力等の測定項目も測定団体毎に独自に選択されている。
【０００３】
このような測定団体が行う体力測定では、各個人毎に複数項目からなる測定結果が紙に記入される。この個人別の記録紙の記載に基づいて、測定団体は、その測定団体における各測定項目の平均値等を算出し、この算出結果を被測定者の測定結果とともに、被測定者が所属する学校やチーム等の団体に報告している。
【０００４】
測定団体の報告を受けた団体が、野球チームやバレーボールチーム等のような運動団体である場合には、その運動団体のコーチが受け取った報告に基づいて独自の分析を行ない、被測定者である選手にトレーニングに関するアドバイスを行なっている。
【０００５】
【発明が解決しようとする課題】
以上説明したように、従来の体力測定の測定結果は、それを受け取った個人や各運動団体のコーチが独自に分析して活用していた。
【０００６】
ここで、プロのサッカーチーム等には、トレーニングの専門知識を有する優秀な専属コーチがいるので、このような測定結果を十分に活用することができる。しかしながら、一般のアマチュアの運動団体においては、トレーニングの専門知識を有しているコーチがいることは稀であり、従って、このような運動団体では測定結果を十分に活用することができないという問題があった。
【０００７】
本発明の目的は、あらかじめ定められた複数個の項目の体力データを入力するだけで、入力した個人のそれぞれの項目の体力に対する評価や、これらの複数の評価を専門知識を用いて分析することによって得ることができる特定種目の運動能力の向上に資するトレーニングの専門家のコメントを得ることができる体力評価システムを提供することにある。
【０００８】
【課題を解決するための手段】
以上の目的を達成するために本発明は、利用者側のユーザ・コンピュータ・システムにインターネットを介して接続されるサーバ・コンピュータ・システム内に構築される体力評価システムであって、前記ユーザ・コンピュータ・システムから出力される１個人の身体に関する複数の項目の測定結果である複数個の項目データをあらかじめ定められた順序に整列させた個人体力データを複数人分格納するデータ記憶部と、該データ記憶部に格納されている複数人分の前記個人体力データを用いて、前記サーバ・コンピュータ・システムに入力している個人体力データを構成する整列している複数個の前記項目データのうちあらかじめ定められた２以上の項目データの偏差値（以下、「項目偏差値」という）を算出する項目偏差値計算部と、該項目偏差値計算部によって算出された２以上の項目偏差値のそれぞれをクラス分けして所定の文字に変換する評価結果文字列生成部と、該評価結果文字列生成部から出力される評価結果文字列の中のあらかじめ定められた場所に位置する文字が形成する文字列が所定の文字列であるか否かを判定し、前記所定の文字列である場合には当該所定の文字列に対応してあらかじめ格納されているコメントを前記ユーザ・コンピュータ・システムに送信するコメント発生手段とを具えたことを特徴とするものである。
【０００９】
【発明の実施の形態】
以下、図面を用いて本発明の実施形態を説明する。
【００１０】
本発明に係る体力評価システムは、図１に示すようなインターネット２００に接続されているサーバ・コンピュータ・システム１００内に構築されるものである。このサーバ・コンピュータ・システム１００には、利用者側のユーザ・コンピュータ・システム３００からの要求に従って送信されるＷｅｂページ１０１と、ユーザ・コンピュータ・システム３００から送信される複数項目の体力データからなる個人体力データを保存するデータベース１０２とが含まれている。
【００１１】
図２は、サーバ・コンピュータ・システム１００内に構築される本発明の一実施形態の構成を示す機能ブロック図である。
【００１２】
図２において、１１１は、インターネット２００を介して利用者側のユーザ・コンピュータ・システム３００から送られてくる個人体力データを受信するデータ受信部である。本実施形態においては、個人体力データは、図３に示す複数の項目の測定結果である複数の体力データ（以下、「項目データ」という）ａ1 〜ａ14の集合として構成されている。
【００１３】
データ受信部１１１で受信された個人体力データＰA ＝（ａ1 ，ａ2 ，ａ3 ，…，ａ14）は、ユーザ・コンピュータ・システム３００から「登録」命令が送信されると、データ判定部１１２に送られる。データ判定部１１２では、後述するプログラムに従って、利用者がユーザ・コンピュータ・システム３００に項目データａ1 〜ａ14を入力する際に、入力ミスがあった場合には、その旨の表示をエラー表示出力部１１３で生成し、データ送信部１１４を介してユーザ・コンピュータ・システム３００に通知して利用者に入力ミスの訂正を促す。入力ミスが無い場合には、データ受信部１１１で受信された個人体力データＰA は、図１に示したデータベース１０２によって構成されるデータ記憶部１１５に各項目データａ1 ，ａ2 ，ａ3 ，…，ａ14をこの順序で整列させた状態で保存される。
【００１４】
このようにしてデータ記憶部１１５には、入力ミスのない項目データａ1 〜ａ14からなる個人体力データＰA が、利用者の人数分Ｎ個保存される。
【００１５】
参照データ生成部１１６は、データ記憶部１１５に保存されているＮ個の個人体力データＰA ＝（ａ1 ，ａ2 ，ａ3 ，ａ4 ，…，ａ14）から、項目データａ4 〜ａ14のそれぞれについて、平均値ｂと標準偏差（分散の平方根）ｃとを算出する。
【００１６】
項目偏差値計算部１１７は、参照データ生成部１１６から出力される平均値ｂと標準偏差ｃとを用いてデータ受信部１１１に入力した個人体力データＰA ＝（ａ1 ，ａ2 ，ａ3 ，ａ4 ，…ａ14）の項目データａ4 〜ａ14のそれぞれについてその項目偏差値ｄ4 〜ｄ14を計算する。項目偏差値計算部１１７から結果データ生成部１２１には、項目データａ4 〜ａ14のそれぞれについての偏差値の組である個人偏差値データＰD ＝（ｄ4 ，ｄ5 ，…，ｄ14）が出力される。
【００１７】
評価結果文字列生成部１１８は、項目偏差値計算部１１７で計算された項目偏差値ｄ4 ，ｄ5 ，…，ｄ14のそれぞれを、その値によってクラス分けをしてあらかじめ定められた文字「Ｓ」，「Ａ」，「Ｂ」，「Ｃ」，「Ｄ」，「Ｅ」に置き換えて評価結果文字列ＰE ＝（ｅ4 ，ｅ5 ，…，ｅ14）を生成するものである。ここで、ｅ4 ，ｅ5 ，…，ｅ14はそれぞれ、Ｓ，Ａ，Ｂ，Ｃ，Ｄ，Ｅのいずれかの文字となる。
【００１８】
以上のようにして項目偏差値計算部１１７から結果データ生成部１２１へは個人偏差値データＰD ＝（ｄ4 ，ｄ5 ，…，ｄ14）が出力され、評価結果文字列生成部１１８からコメント選択部１１９へは評価結果文字列ＰE ＝（ｅ4 ，ｅ5 ，…，ｅ14）が出力される。
【００１９】
ここで、参照データ生成部１１６，項目偏差値計算部１１７および評価結果文字列生成部１１８の動作を図４に示すフローチャートを用いて具体的に説明する。
【００２０】
先ず、データ受信部１１１に入力した個人体力データＰA ＝（ａ1 ，ａ2 …，ａ14）の項目データａ4 についての偏差値である項目偏差値ｄ4 を算出するために項目偏差値ｄi のｉを４とする（ステップＳ４１）。
【００２１】
次にステップＳ４２に進んで、項目偏差値計算部１１７に項目偏差値ｄ4 を計算させる。このとき項目偏差値計算部１１７は、参照データ生成部１１６から出力される項目データａ4 についての平均値ｂ4 と標準偏差ｃ4 とを用いて項目偏差値ｄ4 を以下の式によって計算する。
【００２２】
ｄ4 ＝（ａ4 −ｂ4 ）÷ｃ4 ＋５０
【００２３】
ここで平均値ｂ4 と標準偏差ｃ4 とは、データ記憶部１１５に保存されているＮ人分のＮ個の項目データａ4 を用いて参照データ生成部１１６が生成するものである。
【００２４】
以上のようにしてステップＳ４２での処理が終わると、ステップＳ４３に進んで項目偏差値計算部１１７は、項目偏差値ｄ4 を結果データ生成部１２１に出力する。
【００２５】
以下のステップＳ４４〜ステップＳ５６は評価文字列生成部１１８が処理するステップである。
【００２６】
評価文字列生成部１１８では、項目偏差値ｄ4 の値がｄ4 ≧７３の場合はｄ4 を評価結果文字「Ｓ」に置き換え（ステップＳ４４，Ｓ４５）、７３＞ｄ4 ≧６５の場合は評価結果文字「Ａ」に置き換え（ステップＳ４６，Ｓ４７）、６５＞ｄ4 ≧５７の場合は評価結果文字「Ｂ」に置き換え（ステップＳ４８，Ｓ４９）、５７＞ｄ4≧４３の場合は評価結果文字「Ｃ」に置き換え（ステップＳ５０ ，Ｓ５１）、４３＞ｄ4 ≧３８の場合は評価結果文字「Ｄ」に置き換え（ステップＳ５２，Ｓ５３）、３８＞ｄ4 の場合は評価結果文字「Ｅ」に置き換える。以上のようにして項目偏差値ｄ4 の評価結果文字への置き換えが終了すると、ステップＳ５５へ進み、ｄi のｉが１４であるか否かが判定される。ｄi ＝ｄ4 の場合にはステップＳ５６に進みｄi ＝ｄ5 にしてステップＳ４２に戻る。このようにして項目偏差値ｄ4 〜ｄ14がステップＳ４２で順次計算され、結果データ生成部１２１に出力されるとともに、その計算された項目偏差値ｄ4 〜ｄ14が評価結果文字Ｓ，Ａ，…，Ｅのいずれかの文字に順次変換されてゆく。
【００２７】
以上説明した処理の結果、図２に示した項目偏差値計算部１１７から結果データ生成部１２１へは個人偏差値データＰD ＝（ｄ4 ，ｄ5 ，…，ｄ14）が出力され、評価結果文字列生成部１１８からコメント選択部１１９へは評価結果文字列ＰE ＝（ｅ4 ，ｅ5 ，…，ｅ14）が出力される。
【００２８】
ここで、図２に示すコメント記憶部１２０には、図５に示したように評価結果文字列ＰE ＝（ｅ4 ，ｅ5 ，…，ｅ14）のあらかじめ定められた特定の場所（図５においてはｅ6 とｅ13の位置する場所）に位置する評価結果文字の組に対応したコメントが格納されている。
【００２９】
この評価結果文字の組とそれに対するコメントは、トレーニングの専門知識に基づいて対応づけられている。例えば図５に示したものは、走塁能力に関するコメントであり、このコメントは５０ｍ走の能力の評価（ｅ6 ）と２塁打走の能力の評価（ｅ13）とを分析することによりトレーニングの専門家が作成したものである。
【００３０】
コメント記憶部１２０に格納する評価結果文字の組と、それに対応したコメントは、以上のような走塁能力に関するものに限られるものではなく、専門家の分析対象となるようなものであれば、どのような特定種目の運動能力に関するものであってもよい。例えば、本実施形態においては、走力能力に関するコメントは、２０ｍ走の能力の評価（ｅ4 ），２０ｍ加速走の能力の評価（ｅ5 ），５０ｍ走の能力の評価（ｅ6 ）という３つの評価結果文字に対応づけて格納されており、基礎能力に関するコメントは、握力の能力の評価（ｅ7 ），バックスローの能力の評価（ｅ12），閉眼片足立ちの能力の評価（ｅ10）という３つの評価結果文字に対応づけて格納されている。
【００３１】
ここで、図２に示したコメント選択部１１９の動作について図６のフローチャートを用いて説明する。
【００３２】
図２に示した評価結果文字列生成部１１８から評価結果文字列ＰE ＝（ｅ4 ，ｅ5 ，…，ｅ14）が出力されると、コメント選択部１１９は図６に示すフローチャートに従った手順で処理を行なう。
【００３３】
先ず、ステップＳ６１で評価結果文字列ＰE ＝（ｅ4 ，ｅ5 ，…，ｅ14）においてＳ，Ａ，Ｂ，…，Ｅのいずれかの文字からなる評価結果文字の組（ｅ6 ，ｅ13）と一致する評価結果文字の組がコメント記憶部１２０内に存在するか否かを判断し、すなわち評価結果文字列ＰE ＝（ｅ4 ，ｅ5 ，…，ｅ14）において特定の場所に位置する評価結果文字が形成する文字列ｅ6 ，ｅ13と一致する文字列がコメント記憶部１２０内に存在するか否かを判断し、一致した評価結果文字の組が存在する場合には、その評価結果文字の組に対応した走塁コメントを結果データ生成部１２１に出力し（ステップＳ６２）、存在しない場合にはステップＳ６３に進む。
【００３４】
ステップＳ６３では、評価結果文字の組（ｅ4 ，ｅ5 ，ｅ6 ）と一致する評価結果文字の組がコメント記憶部１２０内に存在するか否かを判断し、一致した評価結果文字の組が存在する場合には、その評価文字の組に対応した走力コメントを結果データ生成部１２１に出力し（ステップＳ６４）、存在しない場合にはステップＳ６５に進む。
【００３５】
ステップＳ６５では、評価結果文字の組（ｅ7 ，ｅ12，ｅ10）と一致する評価結果文字の組がコメント記憶部１２０内に存在するか否かを判断し、一致した評価結果文字の組が存在する場合には、その評価結果文字の組に対応した基礎能力コメントを結果データ生成部１２１に出力して処理を終了し（ステップＳ６６）、存在しない場合にはそのまま処理を終了する。
【００３６】
図２に示したコメント選択部１１９が以上の処理を終了すると、結果データ生成部１２１は、コメント選択部１１９から出力されたコメントがある場合にはそのコメントと、項目偏差値計算部１１７から出力された個人偏差値データＰD ＝（ｄ4 ，ｄ5 ，…，ｄ14）と、データ判定部１１２から出力された個人体力データＰA ＝（ａ1 ，ａ2 ，…，ａ14）とを編集してデータ送信部１１４からインターネット２００を介して、個人体力データＰA を送信してきた利用者のユーザ・コンピュータ・システム３００に送信する。
【００３７】
以上説明したように本実施形態においては、利用者側のユーザ・コンピュータ・システム３００から送信されてくる個人体力データＰA ＝（ａ1 ，ａ2 ，…，ａ14）に基づいて偏差値計算などの処理が行なわれる。従って、個人体力データＰA の項目データａ1 ，ａ2 ，…，ａ14の値が入力ミスなどにより誤った値となっている場合には、その入力を行なった利用者個人の体力評価のみならず、その他の利用者の体力評価まで影響を受けることになる。
【００３８】
このような入力ミスによる悪影響を防止するために、本実施形態においては、データ判定部１１２およびエラー表示出力部１１３が設けられている。
【００３９】
データ判定部１１２内には、図７に示すような項目データａ1 ，ａ2 ，…，ａ14のそれぞれに対応する入力範囲のデータがあらかじめ格納されており、データ判定部１１２はこの入力範囲のデータを用いて項目データａ1 ，ａ2 ，…，ａ14のそれぞれについて入力ミスがあったか否かを判定するものである。
【００４０】
以下、データ判定部１１２およびエラー表示出力部１１３の動作について図８に示すフローチャートを用いて説明する。
【００４１】
先ず、利用者はユーザ・コンピュータ・システム３００を用いて項目データａ1 〜ａ14を入力した後、（ステップＳ８１）、以下の判断をする。即ち、全項目データａ1 〜ａ14を本実施形態に登録するか、全項目データａ1 〜ａ14をリセットするか、あるいは現在表示されているページの前のページに戻るかを判断する（ステップＳ８２）。
【００４２】
このステップＳ８２で利用者が「登録」を選択すると、データ判定部１１２は以下の処理を実行する。
【００４３】
すなわち全ての項目データａ1 〜ａ14がその入力範囲内にあるときは、ステップＳ８３からステップＳ１０８に順次進んで、ステップＳ１０９で全ての項目データａ1 〜ａ14を個人体力データＰA ＝（ａ1 ，ａ2 ，…，ａ14）としてデータ記憶部１１５に出力する。
【００４４】
また、もし項目データａ1 〜ａ14のいずれかに入力範囲外の値が入力されている場合には、ステップＳ１１０に進み、エラー表示出力部１１３が項目データの入力ミスがある旨の表示をユーザ・コンピュータ・システム３００に送信してその項目データの再入力を促す。
【００４５】
なお、この場合には、エラー表示出力部１１３は、どの項目データに入力ミスがあるかという表示とその項目データの入力範囲の表示とを、入力ミスがある旨の表示とともにユーザ・コンピュータ・システム３００に送信する。
【００４６】
エラー表示出力部１１３から入力ミスがある旨の表示を受信した利用者は、指摘された項目データを再入力して（ステップＳ１１１）、再度ステップＳ８２に進む。
【００４７】
図９は、ユーザ・コンピュータ・システム３００において項目データａ1 ，ａ2 ，…，ａ14を入力する場合に表示される画面３０１の例を示した図である。ここで、項目データａ1 （身長）の入力欄３０２に、入力範囲外の値「３００」を利用者入力して、登録ボタンをクリックすると、図１０に示したようにエラー表示出力部１１３から入力ミスがある旨の表示３０３が出力され画面３０１内に表示され項目データａ1 の再入力を利用者に促す。
【００４８】
このように図２に示した構成の本実施形態によれば、データ判定部１１２により項目データａ1 〜ａ14の入力ミスを未然に防止することができるので、データ記憶部１１５には入力ミスのない個人体力データＰA ＝（ａ1 ，ａ2 ，…，ａ14）を保存することができる。
【００４９】
なお、以上説明した本実施形態においては、個人体力データＰA を、図３に示す１４個の測定項目に対応する項目データａ1 〜ａ14によって構成しているが、この測定項目の数およびその内容は本発明の範囲を限定するものではなく、測定項目の数およびその内容は任意に定めることができるものである。
【００５０】
【発明の効果】
以上説明したように本発明によれば、あらかじめ定められた複数個の項目の体力データを入力するだけで、入力した個人のそれぞれの項目の体力に対する評価や、これらの複数の評価を専門知識を用いて分析することによって得ることができる特定種目の運動能力の向上に資するトレーニングの専門家のコメントを得ることができる体力評価システムを提供することができる。
【図面の簡単な説明】
【図１】本発明の一実施形態とユーザ・コンピュータ・システムとの接続関係の説明図である。
【図２】図１に示す実施形態の構成を示す機能ブロック図である。
【図３】測定項目と項目データとの対応関係を示す説明図である。
【図４】図２に示す参照データ生成部，項目偏差値計算部，評価結果文字列生成部での処理手順を示すフローチャートである。
【図５】評価文字の組とコメントとの対応関係の例を示す説明図である。
【図６】図２に示すコメント選択部での処理手順を示すフローチャートである。
【図７】項目データとその入力範囲との関係を示す説明図である。
【図８】図２に示すデータ判定部，エラー表示出力部での処理手順を示すフローチャートである。
【図９】ユーザ・コンピュータ・システムにおける項目データ入力時の表示画面の構成図である。
【図１０】ユーザ・コンピュータ・システムにおける項目データ入力時の表示画面の構成図である。
【符号の説明】
１００  サーバ・コンピュータ・システム
１０１  Ｗｅｂページ
１０２  データベース
１１１  データ受信部
１１２  データ判定部
１１３  エラー表示出力部
１１４  データ送信部
１１５  データ記憶部
１１６  参照データ生成部
１１７  項目偏差値計算部
１１８  評価結果文字列生成部
１１９  コメント選択部
１２０  コメント記憶部
１２１  結果データ生成部
２００  インターネット
３００  ユーザ・コンピュータ・システム
３０１  画面
３０２  入力欄
３０３  表示
【図１】
2004199563.tif 000003
【図２】
2004199563.tif 000004
【図３】
2004199563.tif 000005
【図４】
2004199563.tif 000006
【図５】
2004199563.tif 000007
【図６】
2004199563.tif 000008
【図７】
2004199563.tif 000009
【図８】
2004199563.tif 000010
【図９】
2004199563.tif 000011
【図１０】
2004199563.tif 000012
【手続補正書】
【提出日】平成15年1月17日(2003.1.17)
【手続補正２】
【補正対象書類名】明細書
【補正対象項目名】特許請求の範囲
【補正方法】変更
【補正の内容】
【特許請求の範囲】
【請求項１】
利用者側のユーザ・コンピュータ・システムにインターネットを介して接続されるサーバ・コンピュータ・システム内に構築される体力評価システムであって、
前記ユーザ・コンピュータ・システムから出力される１個人の身体に関する複数の項目の測定結果である複数個の項目データをあらかじめ定められた順序に整列させた個人体力データを複数人分格納するデータ記憶部と、
該データ記憶部に格納されている複数人分の前記個人体力データを用いて、前記サーバ・コンピュータ・システムに入力している個人体力データを構成する整列している複数個の前記項目データのうちあらかじめ定められた２以上の項目データの偏差値（以下、「項目偏差値」という）を算出する項目偏差値計算部と、
該項目偏差値計算部によって算出された２以上の項目偏差値のそれぞれをクラス分けして所定の文字に変換する評価結果文字列生成部と、
該評価結果文字列生成部から出力される評価結果文字列の中のあらかじめ定められた場所に位置する文字が形成する文字列が所定の文字列であるか否かを判定し、前記所定の文字列である場合には当該所定の文字列に対応してあらかじめ格納されているコメントを前記ユーザ・コンピュータ・システムに送信するコメント発生手段とを具えたことを特徴とする体力評価システム。
【請求項２】
請求項１に記載の体力評価システムにおいて、
前記サーバ・コンピュータ・システムに入力する前記個人体力データを構成する複数個の前記項目データの各々が、それぞれ前記項目データについてあらかじめ定められている許容範囲内の値であるか否かを判定する判定手段と、当該判定手段が前記許容範囲外であると判定した場合には、前記ユーザ・コンピュータ・システムに対してその旨の表示を出力するエラー表示出力部とが、前記データ記憶部の前段に設けられていることを特徴とする体力評価システム。